(57)【要約】【課題】収納物が有する保持部を用いてユーザが当該収納物を保持したまま、当該収納物を収納可能なホルダーケースを提供すること。【解決手段】本発明のホルダーケース１００は、支持面１０１と背面１０２から成る、収納物を収納する収納部を備えている。収納部は、収納物が有する保持部４０１であってユーザが当該収納物を保持するための保持部が当該収納部の開口面１０５から当該収納部の底面１０６に向かって通過可能なスリット１０８を有する。【選択図】図１
2015123249.tif 000002
【特許請求の範囲】
【請求項１】
収納物を収納可能な収納部を備え、
前記収納部は、前記収納物が有する保持部であってユーザが当該収納物を保持するための保持部が前記収納部の開口面から前記収納部の底面に向かって通過可能なスリットを有することを特徴とするホルダーケース。
【請求項２】
前記収納部は、前記スリットを構成する一対の支持面と、前記支持面と共に前記収納部を構成する背面とを有し、
前記支持面は、前記支持面と前記背面との間隙が、前記収納部の開口面から前記収納部の底面に向かって狭くなっていることを特徴とする請求項１に記載のホルダーケース。
【請求項３】
前記ホルダーケースは、
前記収納部の開口面を開閉可能な開閉部を更に備え、
前記開閉部は、前記収納部に収納された収納物の保持部に固定可能であることを特徴とする請求項１または２に記載のホルダーケース。
【請求項４】
前記ホルダーケースは、
前記ホルダーケースと、前記ホルダーケースをユーザの体に固定するためのベルトとを接続するための接続部を更に備えることを特徴とする請求項１乃至３のいずれか１項に記載のホルダーケース。
【請求項５】
前記接続部は、前記ホルダーケースの上部に備えることを特徴とする請求項４に記載のホルダーケース。
【請求項６】
前記接続部は、前記ホルダーケースを前記ベルトに対して任意の角度に固定可能な固定部を有することを特徴とする請求項４または５に記載のホルダーケース。
【請求項７】
前記接続部は、前記ベルトの両端を着脱可能なバックルを、当該接続部に近接する位置に有することを特徴とする請求項４乃至６のいずれか１項に記載のホルダーケース。
【請求項８】
前記収納部の底面は、前記収納物に付着した付着物を落下させるための穴を備えることを特徴とする請求項１乃至７のいずれか１項に記載のホルダーケース。
【発明の詳細な説明】
【技術分野】
【０００１】
本発明は、収納物が有する保持部を用いてユーザが当該収納物を保持したまま、当該収納物を収納可能なホルダーケースに関する。
【背景技術】
【０００２】
近年、携帯情報端末の小型化・軽量化が進んでいる。例えば、ハンディターミナルや携帯電話、デジタルカメラやビデオカメラといった装置が小型化・軽量化している。そのため、ユーザはこのような装置を外出先に持ち運び、利用することが多くなった。
【０００３】
携帯情報端末を持ち運ぶ際には、携帯情報端末をユーザの鞄やポケットに収納して持ち運んでいる。そして、携帯情報端末を利用する際には、これらから取り出して利用することが多い。ところが、携帯情報端末を取り出す際に、携帯情報端末をしっかり保持しないために鞄やポケットの縁に引っ掛かってしまうことがある。その結果、携帯情報端末を地面に落下させてしまい、落下の衝撃で携帯情報端末が故障してしまう可能性がある。
【０００４】
このような問題を解決するために、従来、携帯情報端末を収納する専用のケースが考案されている。このケースは、プラスチックやポリカーボネート等の材質でできており、ケースに携帯情報端末を収納したまま、携帯情報端末を利用できるものである。つまり、携帯情報端末を落下させたとしても、その落下の衝撃を和らげることができ、かつ、ケースを取り外すことなく、携帯情報端末を利用できるものである。
【０００５】
下記の特許文献１には、表示装置を備える携帯情報端末を収納する端末本体収納ケースにおいて、表示装置の表示窓周辺に補強金具と防滴クッションを設ける仕組みが開示されている。
【先行技術文献】
【特許文献】
【０００６】
【特許文献１】特開２００３−５８２７７号公報
【発明の概要】
【発明が解決しようとする課題】
【０００７】
ところで、業務で利用する携帯情報端末として、ハンディターミナルがある。ハンディターミナルは、例えば、商品のピッキング作業や電気や水道の検針作業等で活用されている。
【０００８】
ハンディターミナルを利用するユーザは、常にハンディターミナルを手に持っているわけではない。両手を使う作業がある場合には、一時的にハンディターミナルをユーザの腰に装着しているケース（以下、ホルダーケース）に収納する。
【０００９】
例えば、ガソリンスタンドでハンディターミナルを利用する場合を想定する。ガソリンスタンドの従業員は、車の誘導や給油、車の清掃等を行う一方、ハンディターミナルを利用して受注や精算作業を行っている。しかしハンディターミナルを手に保持したまま、給油や清掃を行ってしまうと、片手が塞がっているため安全に作業ができないばかりか顧客の車を傷つけてしまう恐れがあるため、これらの作業は出来ない。よって、一時的にハンディターミナルをホルダーケースに収納して、これらの作業を行っている。
【００１０】
このような作業を円滑に進めるためには、ハンディターミナルをスムーズに収納できなければならない。収納に手間取ってしまうと、それだけ顧客を待たせてしまうからである。しかしながら、従来のように鞄形式のホルダーケースにハンディターミナルを収納しようとした場合、ハンディターミナルとユーザの手とを固定するための固定バンド（以下、保持部）から手を外し、その後、ハンディターミナルをホルダーケースに収納するという手間があった。また、ハンディターミナルを再び保持する際にも、ホルダーケースからハンディターミナルを取り出し、保持部に手を通して、利用を開始する必要がある。
【００１１】
図４の４１０は、ハンディターミナルの保持部を使用してユーザが手でハンディターミナルを保持している図である。４００はハンディターミナルの裏面を示している。液晶ディスプレイ等のユーザインタフェースを備える面が表面であり、ユーザが保持する面が裏面である。この裏面に、ユーザがハンディターミナルを保持しやすいよう、保持部４０１が備えられている。保持部４０１とハンディターミナル４００との間にユーザの手４０２を差し込み、片手でハンディターミナル４００を保持し、他方の手を使用してキー操作などを行えるようにすることで、操作の安定化を図り落下を防止している。つまり、前述した通り、従来のように鞄形式のホルダーケースに収納する場合にはこの保持部から手を外す必要がある。そのため、ハンディターミナルを収納する際に時間がかかってしまう問題があった。また取り出し時にも時間がかかり、かつ落下の危険もあった。つまり、この保持部を含めてスムーズかつ安全に収納物を収納すると共に、収納物を取り出しやすいホルダーケースが求められている。
【００１２】
そこで本発明は、収納物が有する保持部を用いてユーザが当該収納物を保持したまま、当該収納物を収納可能なホルダーケースを提供することを目的とする。
【課題を解決するための手段】
【００１３】
上記の目的を達成するために、本発明のホルダーケースは、収納物を収納可能な収納部を備え、前記収納部は、前記収納物が有する保持部であって、ユーザが当該収納物を保持するための保持部が、前記収納部の開口面から前記収納部の底面に向かって通過可能なスリットを有することを特徴とする。
【発明の効果】
【００１４】
本発明によれば、収納物が有する保持部を用いてユーザが当該収納物を保持したまま、安全にかつすばやく当該収納物を収納可能となる効果を奏する。
【図面の簡単な説明】
【００１５】
【図１】本実施形態におけるホルダーケース１００の表面を示す図である。
【図２】本実施形態におけるホルダーケース１００の裏面を示す図である。
【図３】本実施形態のホルダーケース１００をユーザが装着した場合の装着例を示す図である。
【図４】ハンディターミナル４００が有する保持部４０１を用いてユーザが当該ハンディターミナル４００を保持したまま、本実施形態のホルダーケース１００にハンディターミナル４００を収納した場合を示す図である。
【図５】図４に示した収納例４３０の断面図である。
【図６】ホルダーケース１００の開閉部１０３が有する第１の面ファスナー１０４と、保持部４０１に装着された第２の面ファスナー６００とを用いて、開閉部１０３を保持部４０１に固定した場合を示す図である。
【図７】本実施形態のホルダーケース１００と、ユーザの体に固定するためのベルト２０１とを接続するための接続部２０２の固定角度の例を示す図である。
【図８】接続部２０２を固定するホックの位置を示す図である。
【図９】他の実施形態における収納例を示す図である。
【図１０】他の実施形態において、ビデオカメラ９００が有する保持部４０１を用いてユーザが当該ビデオカメラ９００を保持したまま、本実施形態のホルダーケース１００にビデオカメラ９００を収納した場合を示す図である。
【発明を実施するための形態】
【００１６】
以下、図面を参照して、本発明の実施形態を詳細に説明する。まず、図１及び図２について説明する。
【００１７】
図１は、本実施形態におけるホルダーケース１００の表面を示す図である。ホルダーケース１００は、収納物を収納するケースである。本実施形態においては、収納物としてハンディターミナルを実施例として説明を行う。尚、収納物はハンディターミナルに限らない。
【００１８】
ホルダーケース１００は、支持面１０１と背面１０２とからなる、収納物を収納可能な収納部を備える。支持面１０１は、収納物を支える一対の面である。支持面１０１は、ホルダーケース１００の左右にそれぞれ設けられている。支持面１０１と背面１０２は、形態を保持するために基材として硬質プラスチック、金属などが使用される。左右の支持面１０１との間には、収納物を保持するための保持部が通過可能なスリット１０８が設けられている。スリット１０８の詳細は図４で後述する。
【００１９】
また、詳細は図５で後述するが、支持面１０１の内側と背面１０２との間隙が開口面１０５から底面１０６に向けて狭くなるように、支持面１０１が構成されている。開口面１０５は、収納物の収納を受け入れる口である。開口面１０５は、ホルダーケース１００の上部に位置している。一方、底面１０６は、収納物が落下しないように支える、ホルダーケース１００の底の部分である。開口面１０５が底面１０６よりも広いことで、開口面１０５から収納物を出し入れしやすい効果がある。また、支持面１０１は底面１０６に向かって開口面１０５よりも狭まっていることで、収納物を収納した際に、支持面１０１と背面１０２との間隙で収納物を挟み込むことで収納物が固定される効果がある。
【００２０】
また、ホルダーケース１００は、開閉部１０３を備える。開閉部１０３は、収納部にある開口面１０５を覆う、いわゆる開閉可能な蓋である。開閉部１０３で蓋をすることで、収納部に収納された収納物がユーザの意に反した飛び出しをすることを防止できる。開閉部１０３で蓋をする場合の具体例は後述するが、開閉部１０３には蓋の留め具としての第１の面ファスナー１０４を備えており、この第１の面ファスナー１０４と、収納物の保持部に備える第２の面ファスナーとが結合することで、収納部に収納された収納物の飛び出しを防止する。
【００２１】
更にホルダーケース１００は、底面１０６に穴１０７を有している。穴１０７は、収納物に付着した付着物を落下させるための穴である。
【００２２】
図２は、本実施形態におけるホルダーケース１００の裏面を示す図である。
【００２３】
ホルダーケース１００の裏面には、ホルダーケース１００と、ホルダーケース１００をユーザの体に固定するためのベルト２０１とを接続するための接続部２０２を備える。接続部２０２がホルダーケース１００に接する面（つまり、背面１０２側）と、背面１０２には、複数のホック（固定部）を有している。これらの固定部同士が結合することにより、接続部２０２とホルダーケース１００とを固定することができるようになっている。
【００２４】
また、接続部２０２は回転支持部２０３を中心に回転することができる。この回転支持部２０３はカシメであり、接続部２０２と背面１０２とがこのカシメによって連結されている。回転支持部２０３を中心に当該ホルダーケース１００はベルト２０１に対して任意の角度に回転させることができる。つまり、ホルダーケース１００をベルト２０１に対して任意の角度に回転させた後、前述した固定部で接続部２０２と背面１０２を固定することで、ユーザの望む角度で固定することができる。本実施形態では、ホルダーケース１００がユーザから見て前方斜め上向きになるように、複数の角度で固定可能となっている。なお、回転支持部２０３にカシメ以外の着脱可能な方法を用いれば、ホルダーケース１００とベルト長の異なる接続部２０２とを組合せることも可能である。
【００２５】
また、接続部２０２は、ベルト２０１の両端を接続するバックル２０４を、当該接続部２０２に近接する位置に固定している。つまり、ベルト２０１の着脱は、接続部２０２に近接した位置でしかできない。バックル２０４は、バックル２０４の両脇にある突起２０６を押下することで、ベルト２０１を接続部２０２側とベルト２０１の他方端の２つに分かれる。つまり、ベルト２０１をユーザの体に巻きつけるときには、突起２０６を押下してベルト２０１を帯状にし、固定するときにはバックル２０４を合体させることで、ベルト２０１を輪状にすることができる。なお、バックル２０４は指し込み式のものを例示しているが、ベルト２０１の両端を接続する機能をもつものであれば、これに限らない。
【００２６】
バックル２０４は前述した通り、図２の２０５に示すように接続部２０２に近接する位置に固定している。これは、例えばガソリンスタンドでの業務で使用する場合、バックル２０４によって車を傷つけないようにするためである。ハンディターミナルを用いてガソリンスタンドの業務を行う場合、このホルダーケース１００を従業員であるユーザが装着する。従業員は、ホルダーケースを装着したまま顧客の車への給油や窓ガラスの清掃等を行う。つまり、顧客の車の回りで作業をすることが多いので、ホルダーケース１００が車に接触してしまう可能性が高くなる。特に、ユーザの体にホルダーケース１００を固定しているベルト２０１は、ユーザが意図しないうちに車に接触していることが多い。つまり、ベルトを接続するバックル２０４を固定せず自由な位置がとれるようにした場合、バックル２０４が車に接触し傷をつける可能性がある。そのため、バックル２０４を接続部２０２に近接する位置に固定することで、ユーザはホルダーケースの位置のみを顧客の車に接触しないように気をつけるだけでベルトのバックルで顧客の車に傷をつける心配をする必要が無い。
【００２７】
図３は、本実施形態におけるホルダーケース１００を装着した場合の一例を示す図である。図３は、ガソリンスタンドの従業員であるユーザが作業で使用するハンディターミナルを本実施形態のホルダーケース１００に格納し、当該ホルダーケース１００をユーザの体に固定している様子を示している。装着例３０１では、ホルダーケース１００がユーザの右腰に位置するようにベルト２０１で固定している。ユーザはハンディターミナルをホルダーケース１００から矢印のように左上方に着脱する。装着例３０２は、ホルダーケース１００がユーザの左腰に位置するようにベルト２０１で固定している。そしてユーザはハンディターミナルをホルダーケース１００から矢印のように右上方に着脱する。
【００２８】
一方、装着例３０３は、ホルダーケース１００のベルト２０１を腰ではなく、肩から掛けて、ホルダーケース１００がユーザの胸に位置するようにベルト２０１で固定している。
【００２９】
特に、ガソリンスタンドでは、電気設備は床から６０センチメートル以上の高さに位置しなければならないという安全基準がある。床から６０センチメートル未満の範囲は、気化したガソリンが滞留する範囲とされ、電気設備から発生する火花がこれに引火する可能性があるとされている。
【００３０】
これを受けて、ハンディターミナルも床から６０センチメートル以上の高さに位置している必要がある。しかしながら、ホルダーケース１００にハンディターミナルを収納して持ち歩く場合には、従来、装着例３０１や装着例３０２に示すように、ホルダーケース１００を腰に装着していたため、従業員がしゃがんだ場合にホルダーケース１００が床から６０センチメートル未満の範囲に入ってしまう。すなわち、ホルダーケース１００に収納されたハンディターミナルも同様の範囲に入ってしまう問題がある。そこでこの問題を解決するために、装着例３０３のようにホルダーケース１００を胸の位置に固定している。こうすることで、しゃがんだ場合であっても、ホルダーケース１００が床から６０センチメートル未満の範囲に入ることはなくなる。
【００３１】
図４は、ハンディターミナル４００が有する保持部４０１を用いてユーザが当該ハンディターミナル４００を保持したまま、本実施形態のホルダーケース１００にハンディターミナル４００を収納した場合を示す図である。尚、ホルダーケース１００に収納する収納物としてハンディターミナルを例に説明するが、これに限らない。また、説明の都合上、図４では、開閉部１０３やベルト２０１等を省略している。
【００３２】
図４の４００は、収納物であるハンディターミナルを示す。ハンディターミナル４００の裏面には、４１０に示すように、ハンディターミナル４００を保持するためのベルト等で構成された保持部４０１が備えられている。保持部４０１とハンディターミナル４００との間（サポータ部分）にユーザの手を差し込むことで、保持部４０１がユーザの手をハンディターミナル４００の裏面に押さえつけることができる。よって、ユーザの手によりハンディターミナル４００が固定され落下する危険性が少なくなるようになっている。
【００３３】
また、一般に保持部４０１は、サポーター部４０３を有する場合が多い。このサポーター部４０３は保持部４０１よりも左右の幅が広くなっている。サポーター部４０３は、ユーザがハンディターミナル４００をより保持しやすく、かつ保持部４０１が手に与える圧力を分散するための部品である。
【００３４】
このハンディターミナル４００の保持部４０１を用いて、ユーザがハンディターミナル４００を保持したまま、ホルダーケース１００の開口面１０５から底面１０６に向けて、ハンディターミナル４００を収納する。その収納例が４２０に示す図である。収納例４２０は、ユーザがハンディターミナル４００をホルダーケース１００に収納した様子をホルダーケース１００の表面側から見た図である。収納例４２０に示す通り、ユーザは保持部４０１を用いてハンディターミナル４００を保持したまま、ホルダーケース１００を構成する左右の支持面１０１と背面１０２から成る収納部にハンディターミナル４００を収納している。
【００３５】
保持部４０１を用いてハンディターミナル４００を保持したまま収納するために、前述した通り、ホルダーケース１００の収納部にスリット１０８を設けている。このスリット１０８は、前述した通り左右の一対の支持面１０１から構成されている。保持部４０１が開口面１０５から底面１０６側に向かって通過できるよう、スリット１０８の幅は保持部４０１の幅より少し広くなっている。
【００３６】
このようなスリット１０８を設けることにより、保持部４０１が収納部の開口面１０５から底面１０６に向かって通過可能となる。よって、ユーザがハンディターミナルを保持部４０１に差し込んだ手で保持したまま、収納部に収納物を収納することができるようになる。
【００３７】
ハンディターミナル４００が収納例４２０に示すように収納されると、ユーザは保持部４０１から手４０２を引き抜く。すると、収納例４３０に示すような状態となる。収納例４３０に示すように、サポーター部４０３は、スリット１０８の両脇に位置する支持面１０１よりも外側に配置される。これは、再びユーザが保持部４０１を保持する場合に、保持部４０１に手４０２を差し込みやすくするためである。スリット１０８の幅は、サポーター部４０３の幅より狭くかつ保持部４０１の幅よりも広い幅とすることによって、支持面１０１とサポーター部４０３とが接する部分から手を差し込むことができる。
【００３８】
図５は、図４に示した収納例４３０の断面図である。それぞれ、収納物を収納していないときと収納物を収納したときを示している。本実施例として背面１０２は基材として弾性のあるウレタンスポンジ製のスペーサー１０２−１が支持面１０１側に取り付けられて背面１０２が構成されており、支持面１０１と背面１０２との前記間隙はこのスペーサー１０２−１も含めたものである。尚、図５においても、説明の都合上、開閉部１０３やベルト２０１、保持部４０１等を省略している。
【００３９】
図５に示すように、開口面１０５付近の前記間隙５０１はハンディターミナル４００の厚み５０３より大きく設定されている。開口面１０５から底面１０６に向かっての前記間隙５０２は狭くなっており底面１０６付近ではハンディターミナル４００の厚みよりわずかに狭く設定されている。そして、ハンディターミナル４００を底面１０６に向けて差し込んだときに、底面１０６付近でハンディターミナル４００が支持面１０１と背面１０２との間に挟まれるので、固定できる。すなわち、弾性体であるスペーサー１０２−１が厚み方向に圧縮された状態となる。また、開口面１０５付近の間隙５０１がハンディターミナル４００の厚み５０３よりも広くなっているので、ユーザはハンディターミナル４００を収納部に収納しやすい効果がある。
【００４０】
なお、本実施例ではスペーサー１０２−１を存在させ、これが圧縮されることでハンディターミナル４００が支持面１０１と背面１０２とで挟まれ保持されるとしたが、スペーサー１０２−１を存在させず支持面１０１のたわみを利用して、またはスペーサー１０２−１の圧縮と支持面１０１のたわみの両方を期待するようにしてもよい。
【００４１】
次に、図６は、ホルダーケース１００の開閉部１０３が有する第１の面ファスナー１０４と、保持部４０１に装着された第２の面ファスナー６００とを用いて、開閉部１０３を保持部４０１に固定した場合を示す図である。
【００４２】
前述した通り、本実施形態のホルダーケース１００では、ホルダーケース１００の蓋の役割を果たす開閉部１０３を備えている。ホルダーケース１００に収納物であるハンディターミナル４００を収納し、開閉部１０３で蓋をすることで、ハンディターミナル４００がより飛び出にくくなる。
【００４３】
更に、開閉部１０３は第１の面ファスナー１０４を有している。図６に示す第２の面ファスナー６００を保持部４０１の上部に取り付けることで、開閉部１０３で蓋をした時に、この第１の面ファスナー１０４と第２の面ファスナー６００とが接触するため、これらの面ファスナーがお互いに結合する。
【００４４】
収納例６１０は開閉部１０３で蓋をする前の状態である。収納例６１０に示すように、保持部４０１の上部に第２の面ファスナー６００を装着している。この状態で、開閉部１０３で蓋をすると、収納例６２０に示す状態となる。収納例６２０が示すように、開閉部１０３で蓋がされるので、第１の面ファスナー１０４と第２の面ファスナー６００とがお互いに接触する位置となる。よって、これらがお互いに結合し、開閉部１０３が固定されることにより、ユーザの行動により安易にホルダーケース１００からハンディターミナル４００が飛び出すことを防ぐ効果を有する。
【００４５】
本実施形態では、第２の面ファスナー６００を保持部４０１に装着するようにしたが、これに限らない。例えば、開閉部１０３で蓋をしたときに開閉部１０３が支持面１０１の一部を覆うようにして第１の面ファスナー１０４と結合可能な面ファスナーを支持面１０１に備えてもよい。また、開閉部１０３を固定するために利用する部品は面ファスナーでなくてもよい。固定可能であればホックでもよいし、他の部品でもよい。
【００４６】
図７は、本実施形態のホルダーケース１００と、ユーザの体に固定するためのベルト２０１とを接続するための接続部２０２の固定方法のパターンを示す図である。図７はそれぞれ、本実施形態のホルダーケース１００の裏面を示す図である。
【００４７】
図３で前述した通り、本実施形態のホルダーケース１００は、ベルトを使用してユーザの身体に固定する場合、主に３つの装着方法が考えられる。ホルダーケース１００を右腰に装着する場合と、左腰に装着する場合、更には胸に装着する場合である。前述したホルダーケース１００の裏面にある接続部２０２を回転させて、ホックで所定の角度に固定することにより、これらの装着方法を実現する。
【００４８】
図７の接続部２０２の固定パターンを説明する前に、図８の固定部の構造について説明をする。図８は、本実施形態におけるホルダーケース１００の裏面から見た接続部２０２を固定するホック（固定部）の位置を示す図である。
【００４９】
接続部２０２の角度を固定するための固定部は、本実施形態においては、接続部２０２側に２つ、背面１０２側に６つ有している。固定部は前述した通り、ホックである。ホックは、凸部８０１と凹部８０２とが存在する。本実施形態においては、接続部２０２側にある２つの固定部が凹部８０２であり、背面１０２側にある６つの固定部が凸部８０１である。尚、凸部と凹部とが逆であってもよい。また、固定部はホックでなくとも、固定可能な部品であればよい。また、固定部の数や位置は所定の角度に固定できるのであれば、これに限らない。
【００５０】
凸部８０１は、凸部８０１−１ａ、凸部８０１−１ｂ、凸部８０１−２ａ、凸部８０１−２ｂ、凸部８０１−３ａ、凸部８０１−３ｂの６つである。一方、凹部８０２は、凹部８０２−ａ、凹部８０２−ｂの２つである。凸部８０１と凹部８０２とは、図８に示すような位置に設置されている。
【００５１】
凸部８０１を設置する位置は、接続部２０２が回転しても接続部２０２の外側にはみ出ない位置が望ましい。つまり、回転支持部２０３を中心に、接続部２０２を回転させた場合、８０３に示す円形部分の内側は、常に接続部２０２によって隠れた部分である。この円形部分８０３の内側に固定部である凸部８０１を設置することで、凸部８０１がユーザの体に触れないようにできる。ホックは金属から成り、更には出っ張っているため、ユーザの体に当たるとユーザを傷つけてしまう恐れがある。特に、本実施形態のホルダーケース１００の凸部８０１は、ホルダーケース１００の裏面に設置されている。裏面はユーザの体に触れる部分であるので、なるべく凸部８０１をユーザに触れないような仕組みが必要である。そこで、前述した通り、接続部２０２によって常に隠れている円形部分８０３に、凸部８０１を設置することで、このような問題を解決している。
【００５２】
図８に示すような固定部を用いて、図７に示す固定パターンを実現する。例えば、図７の７０１に示すようにホルダーケース１００を右腰に装着する場合、接続部２０２を右肩下がりに固定すると、図３の装着例３０１のように収納物であるハンディターミナル４００が取り出しやすい左斜め上方が着脱の角度となる。よって、固定部のうち、凸部８０１−１ａと凹部８０２−ａとを合わせ、凸部８０１−１ｂと凹部８０２−ｂとを合わせる。このような角度に接続部２０２を回転させ、固定部で固定すると、接続部２０２が右肩下がりになる。
【００５３】
また、例えば、図７の７０２に示すようにホルダーケース１００を左腰に装着する場合、今度は接続部２０２を右肩上がりに固定すると、図３の装着例３０２のように収納物であるハンディターミナル４００が取り出しやすい右斜め上方が着脱の角度となる。よって、固定部のうち、凸部８０１−２ａと凹部８０２−ａとを合わせ、凸部８０１−２ｂと凹部８０２−ｂとを合わせる。このような角度に接続部２０２を回転させ、固定部で固定すると、接続部２０２が右肩上がりになる。
【００５４】
更には、例えば、図７の７０３に示すようにホルダーケース１００を胸に装着する場合、接続部２０２をホルダーケース１００に対して水平になるよう固定すると、図３の装着例３０３のようになる。よって、固定部のうち、凸部８０１−３ａと凹部８０２−ａとを合わせ、凸部８０１−３ｂと凹部８０２−ｂとを合わせる。このような角度に接続部２０２を回転させ、固定部で固定すると、接続部２０２がホルダーケース１００に対して水平になる。
【００５５】
このように、水平方向にも接続部２０２の角度が固定できることで、胸の位置にホルダーケース１００を固定した場合であっても、ユーザは収納物であるハンディターミナル４００を取り出しやすくなる。なお、接続部２０２が回転せずホルダーケース１００とベルト２０１の角度が変更出来ない場合には、例えば水平のみで固定された場合には、図３の装着例３０１と３０２ではハンディターミナル４００の着脱方向は真上となりユーザには取り扱いづらいものとなる。また装着例３０１に都合のよい角度で固定された場合には、装着例３０２では左後方斜め上が着脱方向となり、装着例３０３では着脱方向が左斜め下になり、いずれの場合も取り扱いづらいものとなる。
【００５６】
また、図７において接続部２０２の回転支持部２０３はホルダーケースの背面１０２の上下方向に対して上方に設けられる。これは、ホルダーケース１００単独での重心、および収納物を収納した状態のホルダーケース１００の重心より上方に回転支持部２０３を設けることにより、ユーザがホルダーケースを装着した状態で、容易に開口面１０５側が下方に向かないようにするためである。
【００５７】
このように、本実施形態では通常の使用が想定される３種類の角度、すなわち、水平、右斜め方向、左斜め方向に接続部を回転させて固定することができる。尚、これらの角度以外で固定できてもよい。ユーザが使いやすい任意の角度に固定できることが望ましい。
【００５８】
以上が本実施形態におけるホルダーケース１００の説明である。本実施形態では、収納物としてハンディターミナルを前提に説明を行ったが、前述した通り、収納物はハンディターミナルに限らない。例えば、図９に示すように、ビデオカメラであってもよい。図９に示す符号は、前述した実施形態で示したものに対応する符号を付してある。
【００５９】
図９の９００はビデオカメラを示す。ビデオカメラ９００は、前述した実施形態と同様に保持部４０１を備えている。前述したハンディターミナル４００と同様に、この保持部４０１を用いてビデオカメラ９００を保持することができる。
【００６０】
ビデオカメラ９００のホルダーケース１００であっても、前述した実施形態と同様に、収納部に保持部４０１が通過可能なスリット１０８を設けておけば、保持部４０１を用いてビデオカメラ９００を保持したまま、ホルダーケース１００にビデオカメラ９００を収納できる。そして、収納して開閉部１０３で蓋をすると、図９の９１０に示すような形態でビデオカメラ９００が収納できる。
【００６１】
図１０は、ビデオカメラ９００が有する保持部４０１を用いてユーザが当該ビデオカメラ９００を保持したまま、本実施形態のホルダーケース１００にビデオカメラ９００を収納した場合を示す図である。また、説明の都合上、図９では、ベルト２０１等を省略している。
【００６２】
前述した実施形態の図４と同様に、ビデオカメラ９００に備える保持部４０１でユーザの手４０２をビデオカメラ９００に挟み込む。こうすることでユーザはビデオカメラ９００を保持する。前述した実施形態と同様にサポーター部４０３も有している。
【００６３】
この状態でビデオカメラ９００のホルダーケース１００に収納すると、開口面１０５から底面１０６に向かって保持部４０１がスリット１０８を通過する。このような構造とすることで、前述した実施形態と同様にユーザの手４０２を保持部４０１で挟んだまま、収納物を収納することができる。
【００６４】
そして、収納した収納物であるビデオカメラ９００が飛び出ないよう、開閉部１０３で蓋をする。前述した実施形態と同様に、開閉部１０３は面ファスナーを有しているので、保持部４０１の面ファスナーと接着することにより、ビデオカメラの飛び出しを防止する。
【００６５】
このように、本発明のホルダーケース１００は、ハンディターミナルに限らず、ビデオカメラなど保持部を備える収納物であれば、どのような収納物でも本発明のホルダーケース１００を適用可能である。
【００６６】
以上説明したように、本発明によれば、ホルダーケースの収納部の開口面から底面に向かって保持部が通過可能なスリットを設けることにより、ユーザが保持部を用いて収納物を保持したまま、当該収納物をホルダーケースに収納することができる。
【００６７】
尚、添付図面を用いて、本発明におけるホルダーケースの好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００６８】
１００  ホルダーケース
１０１  支持面
１０２  背面
１０３  開閉部
１０４  第１の面ファスナー
１０５  開口面
１０６  底面
１０７  穴
２０１  ベルト
２０２  接続部
２０３  回転支持部
２０４  バックル
４００  ハンディターミナル
４０１  保持部
４０３  サポーター部
６００  第２の面ファスナー
８０１  凸部
８０２  凹部
９００  ビデオカメラ
【図１】
2015123249.tif 000003
【図２】
2015123249.tif 000004
【図３】
2015123249.tif 000005
【図４】
2015123249.tif 000006
【図５】
2015123249.tif 000007
【図６】
2015123249.tif 000008
【図７】
2015123249.tif 000009
【図８】
2015123249.tif 000010
【図９】
2015123249.tif 000011
【図１０】
2015123249.tif 000012